(57)【要約】【課題】２次電池で駆動されて簡易に無線の送信・受信の機能を有する複数の無線端末機の間で同期を確立できる無線端末機システムを提供する。【構成】２次電池で駆動されて相互に無線の送受信の機能を有する複数の無線端末機と、各々の前記無線端末機の２次電池を個別に充電する複数の端末充電器とを有する無線端末充電器システムにおいて、前記端末充電器の一つは無線信号を送信する信号送信装置を備えてなり、他の前記端末充電器は前記信号送信装置からの無線信号を受信する信号受信機を備えてなり、前記信号送信装置から送信された無線信号を前記信号受信機が受信することにより、各々の前記端末充電器を通して各々の前記無線端末機の間で同期を確立する。【選択図】  図１
2004357382.tif 000002
【特許請求の範囲】
【請求項１】
２次電池で駆動されて相互に無線の送受信の機能を有する複数の無線端末機と、各々の前記無線端末機の２次電池を個別に充電する複数の端末充電器とを有する無線端末充電器システムにおいて、前記端末充電器の一つは無線信号を送信する信号送信装置を備えてなり、他の前記端末充電器は前記信号送信装置からの無線信号を受信する信号受信機を備えてなり、前記信号送信装置から送信された無線信号を前記信号受信機が受信することにより、各々の前記端末充電器を通して各々の前記無線端末機の間で同期を確立するものであることを特徴とする無線端末充電器システム。
【請求項２】
各々の前記端末充電器が各々の前記無線端末機の２次電池を充電しているときに、前記信号送信装置から前記信号受信機に無線信号を送受信することを特徴とする請求項１記載の無線端末充電器システム。
【請求項３】
前記信号送信装置から送信された無線信号を受信した後に、別の前記端末充電器に無線信号を送信することにより、各々の前記無線端末機の間で同期を確立するものであることを特徴とする請求項１又は請求項２に記載の無線端末充電器システム。
【請求項４】
時間情報を有する無線信号を前記信号送信装置から前記信号受信機に送信することにより各々の前記無線端末機の間で同期を確立するものであることを特徴とする請求項１乃至請求項３のいずれかに記載の無線端末充電器システム。
【発明の詳細な説明】
【０００１】
【発明の属する技術分野】
本発明は、２次電池で駆動されて無線の送信・受信の機能を有する複数の無線端末機を有する無線端末機システムに関するものである。
【０００２】
【従来の技術】
無線の送信・受信の機能を有する複数の無線端末機を有する無線端末機システムで、デジタル信号で送信・受信をするためには、当然のことながら、それぞれの無線端末機で同期を確立しておくことが必要となる。ここで、同期の基準となる発信器が極めて高精度であれば、一度同期を確立しておけば、再度同期を確立させる作業はほとんど必要ない。しかし、このような高精度な発信器は高価となってしまう。ところで、例えば、百貨店やファミリーレストランのような場所で、店員同士のみで連絡に用いる簡易な無線端末機システムについては、低価格化の要求が強く、このような高価な部品を使用しにくい。一方、同期の基準となる発信器として安価なものを使用すると、時間が経過するにつれて、それぞれの無線端末機の同期が合致しなくなり、送信・受信に支障をきたすようになる。このために、一定時間（例えば１日に１回）ごとに、無線端末機間で信号を通信することにより、無線端末機の同期を確立し直すことが必要となる。
【０００３】
この種の無線端末機間での信号の通信の手段が、特開２００２−１５７７８号公報や特開２００２−５７７５２号公報に開示されている。
【０００４】
【特許文献１】
特開２００２−１５７７８号公報（第５−７頁、図１）
【０００５】
【特許文献２】
特開２００２−５７７５２号公報（第８−１２頁、図１）
【０００６】
【発明が解決しようとする課題】
まず、特開２００２−１５７７８号公報や特開２００２−５７７５２号公報に開示されている無線端末機の信号伝達手段では、充電状態や言語情報を伝達するだけで、システムの同期を確立することができない。
【０００７】
本発明は、かかる事由に鑑みてなしたもので、その目的とするところは、２次電池で駆動されて簡易に無線の送信・受信の機能を有する複数の無線端末機の間で同期を確立できる無線端末機システムを提供するものである。
【０００８】
【課題を解決するための手段】
請求項１に係る発明は、２次電池で駆動されて相互に無線の送受信の機能を有する複数の無線端末機と、各々の前記無線端末機の２次電池を個別に充電する複数の端末充電器とを有する無線端末充電器システムにおいて、前記端末充電器の一つは無線信号を送信する信号送信装置を備えてなり、他の前記端末充電器は前記信号送信装置からの無線信号を受信する信号受信機を備えてなり、前記信号送信装置から送信された無線信号を前記信号受信機が受信することにより、各々の前記端末充電器を通して各々の前記無線端末機の間で同期を確立するものであることを特徴としている。
【０００９】
請求項２に係る発明は、請求項１の構成において、各々の前記端末充電器が各々の前記無線端末機の２次電池を充電しているときに、前記信号送信装置から前記信号受信機に無線信号を送受信することを特徴としている。
【００１０】
請求項３に係る発明は、請求項１又は請求項２の構成において、前記信号送信装置から送信された無線信号を受信した後に、別の前記端末充電器に無線信号を送信することにより、各々の前記無線端末機の間で同期を確立するものであることを特徴としている。
【００１１】
請求項４に係る発明は、請求項１乃至請求項３のいずれかの構成において、時間情報を有する無線信号を前記信号送信装置から前記信号受信機に送信することにより各々の前記無線端末機の間で同期を確立するものであることを特徴としている。
【００１２】
【発明の実施の形態】
（実施形態１）
本発明の実施形態を図１、２に基づいて説明する。図１に示すように、本実施形態の無線端末充電器システムは、無線端末機１ａ〜ｃと、これらに内蔵されている２次電池（図は省略）を充電する端末充電器２ａ〜ｃとからなっている。無線端末機１ａ〜ｃは、２次電池で駆動されてデジタル信号の無線の送信・受信の機能を有している。具体的には、百貨店やファミリーレストランといった場所で、店員同士の連絡等に用いられるようなものである。また、端末充電器２ａ〜ｃは、無線端末機１ａ〜ｃを挿入して電気的に接続することで２次電池を充電するものである。また、このものは、無線端末機１ａ〜ｃのデジタル信号の同期を確立させる機能も有している。
【００１３】
図２（ａ）は、親器となる端末充電器２ａの内部の構成を示すブロック図である。まず、スイッチング電源等の充電機能部１０によって、コンセント６から入力された家庭用交流１００Ｖを２次電池に合わせた所定の直流電圧に変換する。端末接続部１１は、無線端末機１ａと電気的に接続される部分であり、電力を供給する電力供給部１２と、同期信号を送信する同期信号接続部１３とからなっている。同期信号発生部１５は、デジタル信号の基準となる同期信号を発生させる部分であり、ここで発生された同期信号は、一方は同期信号接続部１３に出力され、他方は送信回路１６を経て信号送信機３から無線信号として送信される。この同期信号は、同期信号接続部１５に接続されているスイッチ１４をＯＮすることにより発生する。
【００１４】
図２（ｂ）は、子器となる端末充電器２ｂ、２ｃの内部の構成を示すブロック図である。このものも、スイッチング電源等の充電機能部１０によって、コンセント６から入力された家庭用交流１００Ｖを２次電池に合わせた所定の直流電圧に変換する。同様に、端末接続部１１は、無線端末機１ｂ、１ｃと電気的に接続される部分であり、電力を供給する電力供給部１２と、同期信号を送信する同期信号接続部１３とからなっている。一方、信号受信機４で受信した無線を受信回路１８で電気信号とし、同期信号抽出部１７でフィルタリング等により同期信号を抽出して同期信号接続部１３を経てへ無線端末機１ｂ、１ｃに出力する。
【００１５】
以下に、この無線端末充電器システムの使用方法を説明する。まず、端末充電器２ａ〜ｃに無線端末機１ａ〜ｃを挿入して、電気的に接続することで、各々の２次電池を充電させる。この充電中に、親器となる端末充電器２ａのスイッチ１４をＯＮして、同期信号発生部１５で発生させた同期信号により、無線端末機１ａの同期を確立させるとともに、この同期信号を無線信号として、信号送信機３から子器となる端末充電器２ｂ、２ｃのそれぞれの信号受信機４に送信する。一方、無線端末機１ａから無線信号として同期信号を受信した子器の端末充電器２ｂ、２ｃは、それぞれに電気的に接続されている無線端末機１ｂ、１ｃにこの信号を伝達して、それぞれの同期を確立させる。こうすることにより、無線端末機１ａ〜ｃの間で同期を確立させることができる。この後、無線端末機１ａ〜ｃの２次電池が充電されると、それぞれを端末充電器２ａ〜ｃから取り出して、無線端末機として、店員同士の連絡等に使用される。この後、一定時間後に２次電池の充電量が少なくなると、再び、無線端末機１ａ〜ｃを端末充電器２ａ〜ｃに挿入して充電する。このときに、再びスイッチ１４をＯＮさせることにより、再度無線端末機１ａ〜ｃの同期を再確立させる。以後、これを繰り返すことにより、一定時間ごとに無線端末機１ａ〜ｃの同期を確立し直すことができる。
【００１６】
本実施形態では、無線端末機の２次電池を充電するときに、端末充電器を通して前記無線端末機の間で同期を再確立することができる。したがって、安価で多少精度の低い発信機を用いている場合でも、同期をとり続けることが可能であり、無線の送信・受信を支障なく続けることができる。また、無線端末機の２次電池の充電中に同期を確立することができるので、同期を確立する作業が容易となる。ただし、充電が完了した後に、同期を確立することも可能である。さらに、同期を確立するための伝達信号として、無線を使用しているので、端末充電器を電線で接続する必要がなく、端末充電器の配置を自由に実施することができる。ただし、端末充電器の間の信号伝達としては、無線に限ることはなく、赤外線を信号として使用することも可能である。
【００１７】
（実施形態２）
本発明の実施形態を図３、４に基づいて説明する。実施形態１と同様に、図３に示すように、本実施形態の無線端末充電器システムは、無線端末機１ｄ〜ｆと、これらに内蔵されている２次電池（図は省略）を充電される端末充電器２ｄ〜ｆとからなっている。無線端末機１ｄ〜ｆの構造・機能は、実施形態１の無線端末機１ａ〜ｃと同じであり、また、端末充電器２ｄ、２ｆは端末充電器２ａ、２ｃと同じ構造・機能であるので、詳細な説明は省略して相異点のみを説明する。つまり、子器の端末充電器２ｅが、信号受送信機５を有している点が、実施形態１の子器の端末充電器２ｂと異なっている。また、このものの内部の構造を示すブロック図は、図４にのように、信号受送信機５と同期信号抽出部１７との間に、送信回路１６と受信回路１８とが並列に接続されている。
【００１８】
本実施形態では、実施形態１と同様に、端末充電器２ｄ〜ｆに無線端末機１ｄ〜ｆを挿入して電気的に接続することで、各々の２次電池を充電させる。この充電中に、親器の端末充電器２ｄのスイッチ１４をＯＮして、同期信号発生部１３で発生させた同期信号により、無線端末機１ｄの同期を確立させるとともに、この同期信号を無線信号として、信号送信機３から子器の端末充電器２ｅの信号受送信機５に送信する。次に、同期信号を受信した端末充電器２ｅは、無線端末機１ｅにこの信号を伝達させて同期を確立させるとともに、この同期信号を信号受送信機５から他の子器の端末充電器２ｆの信号受信機４に送信する。そして、端末充電器２ｆは、この無線信号により端末充電器２ｆの同期を確立させる。こうすることにより、端末充電器２ｄ〜ｆの間での同期を確立することができる。
【００１９】
本実施形態では、途中に障害物等があるために、親器の端末充電器２ｄから直接に無線信号が伝達できない場所に子器の端末充電器２ｆが設置されている場合にも、他の子器の端末充電器２ｅを経由して信号を伝達して、同期を確立することができる。
【００２０】
（実施形態３）
本発明の実施形態を図５〜７に基づいて説明する。実施形態１と同様に、図５に示すように、本実施形態の無線端末充電器システムは、無線端末機１ｇ〜ｉと、これらに内蔵されている２次電池（図は省略）を充電される端末充電器２ｇ〜ｉとからなっている。無線端末機１ｇ〜ｉの構造・機能は、実施形態１の無線端末機１ａ〜ｃと同じで構造・機能であるので、詳細な説明は省略して相異点のみを説明する。本実施形態では、端末充電器２ｇ〜ｉが各々信号受送信機５を有していて、同期を確立させるためのスイッチを有さない構造となっている点が、実施形態１と異なっている。また、このものの内部の構成を示すブロック図は、図６のようになっている。つまり、同期信号を発生させる信号発生部１５と同期信号を抽出させる同期信号抽出部１９があり、また、同期信号抽出部１９と同期信号抽出部１７との間に、送信回路１６と受信回路１８とが並列に接続されている。
【００２１】
本実施形態では、実施形態１と同様に、端末充電器２ｇ〜ｉに無線端末機１ｇ〜ｉを挿入して、電気的に接続することで、各々の２次電池を充電させる。ここで、例えば、端末充電器２ｇに無線端末機１ｇが最初に挿入されると、無線端末機１ｇの２次電池の充電が開始されるとともに、内蔵されている同期信号発生部１５で発生した同期信号によって、無線端末機１ｇを同期させる。これとともに、この信号を信号送受信部５から、無線信号として、他の端末充電器２ｈ、２ｉの各々の信号送受信部５に送信される。ここで、本実施形態で使用される同期信号２０は、図７に示すように、時間情報として同期信号発生時間２１を含むものである。ここで、図７の横軸は時間、縦軸は電圧を示し、図７（ａ）の時間ｔ１とｔ２の間を拡大したものが図７（ｂ）となっている。次に、例えば、端末充電器２ｈに無線端末機１ｈが挿入されると、無線端末機１ｈの２次電池の充電が開始するとともに、同期信号判定回路１９で、外部から同期信号を受信しているかどうかを判定する。ここでは、外部からの信号を受信していないと判定すると、内蔵されている同期信号発生部１５で同期信号を発生して、これにより、無線端末機１ｇの同期を確立させるとともに、この信号を信号送受信部５から、無線信号として送信する。ただし、ここでは、端末充電器２ｇからの同期の無線信号を受信しているので、この場合は、同期信号発生部１５で同期信号を発生させることなく、外部から受信した同期の信号により、無線端末機１ｇの同期を確立させる。さらに、次に、端末充電器２ｉに無線端末機１ｉが挿入されると、無線端末機１ｉの２次電池の充電が開始されるとともに、外部から受信した同期信号により、無線端末機１ｉの同期を確立させる。このようにして、無線端末機１ｇ〜ｉの間での同期が確立される。
【００２２】
本実施形態では、時間情報が含まれている信号を同期信号として用いているので、同期を確立させるために基準となる親器となる端末充電器を設けて、そのスイッチをＯＮさせる必要がなく、同一種類の端末充電器を用いて、順次無線端末機を端末充電器に挿入していくだけで、同期を確立させることができる。
【００２３】
【発明の効果】
請求項１に係る発明は、２次電池で駆動されて相互に無線の送受信の機能を有する複数の無線端末機と、各々の前記無線端末機の２次電池を個別に充電する複数の端末充電器とを有する無線端末充電器システムにおいて、前記端末充電器の一つは無線信号を送信する信号送信装置を備えてなり、他の前記端末充電器は前記信号送信装置からの無線信号を受信する信号受信機を備えてなり、前記信号送信装置から送信された無線信号を前記信号受信機が受信することにより、各々の前記端末充電器を通して各々の前記無線端末機の間で同期を確立するものであることを特徴としているので、容易に前記無線端末機の間で同期を確立することができる。したがって、安価で多少精度の低い発信機を用いている場合であっても、同期を確立し続けることが可能となり、無線の送信・受信を支障なく続けることができる。さらに、前記無線端末機を確立するための伝達信号として、無線を使用しているので、端末充電器を電線で接続する必要がなく、端末充電器の配置を自由に実施することができる。
【００２４】
請求項２に係る発明は、請求項１の構成において、各々の前記端末充電器が各々の前記無線端末機の２次電池を充電しているときに、前記信号送信装置から前記信号受信機に無線信号を送受信することを特徴としているので、請求項１の効果に加え、無線端末機の２次電池の充電中に同期を確立することができるので、同期を確立させる作業が容易となる。
【００２５】
請求項３に係る発明は、請求項１又は請求項２の構成において、前記信号送信装置から送信された無線信号を受信した後に、別の前記端末充電器に無線信号を送信することにより、各々の前記無線端末機の間で同期を確立するものであることを特徴としているので、請求項１又は請求項２の効果に加え、本機能を有する端末充電器を経由することにより、基準となる端末充電器から別の端末充電器の同期を確立させることができる。したがって、途中に障害物等があるために、直接に無線信号が伝達できない場所に他の端末充電器が設置されている場合であっても、本機能を有する端末充電器を経由して信号を伝達することにより、同期を確立することができる。
【００２６】
請求項４に係る発明は、請求項１乃至請求項３のいずれかの構成において、時間情報を有する無線信号を前記信号送信装置から前記信号受信機に送信することにより各々の前記無線端末機の間で同期を確立するものであることを特徴としているので、請求項１乃至請求項３の効果に加え、同期を確立させるために基準となる端末充電器を設ける必要がなく、順次前記無線端末機の同期を確立させることが可能となる。
【図面の簡単な説明】
【図１】実施形態１に係る無線端末充電器システムの斜視図である。
【図２】実施形態１に係る端末充電器の内部の構成を示すブロック図である。
【図３】実施形態２に係る無線端末充電器システムの斜視図である。
【図４】実施形態２に係る端末充電器の内部の構成を示すブロック図である。
【図５】実施形態３に係る無線端末充電器システムの斜視図である。
【図６】実施形態３に係る端末充電器の内部の構成を示すブロック図である。
【図７】実施形態３に係る信号電圧の時間の変化図である。
【符号の説明】
１ａ〜ｉ        無線端末機
２ａ〜ｉ        端末充電器
３              信号送信機
４              信号受信機
５              信号送受信機
６              コンセント
１０            充電機能部
１１            端末接続部
１２            電力供給部
１３            同期信号接続部
１４            スイッチ
１５            同期信号発生部
１６            送信回路
１７            同期信号抽出回路
１８            受信回路
１９            同期信号判定回路
２０            同期信号
２１            同期信号発生時間
【図１】
2004357382.tif 000003
【図２】
2004357382.tif 000004
【図３】
2004357382.tif 000005
【図４】
2004357382.tif 000006
【図５】
2004357382.tif 000007
【図６】
2004357382.tif 000008
【図７】
2004357382.tif 000009